(57)【特許請求の範囲】
【請求項１】
（ａ）ディスクを挿入し、または排出する開口部を有するハウジング内に基体が収容され、この基体に、ディスクの挿入方向下流側の端部を中心にして角変位自在な案内部材と、この案内部材の下方に配置され、ディスクの挿入方向に対応する挿入回転方向およびディスクの排出方向に対応する排出回転方向のいずれか一方に選択的に回転駆動される挿入排出用ローラとが、前記開口部に近接して設けられ、前記案内部材によってディスクを上方から支持した状態で、そのディスクに下方から前記挿入排出用ローラを弾発的に当接させて、前記挿入回転方向および排出回転方向のいずれか一方に回転し、前記ディスクを挿入方向および排出方向のいずれか一方に向けて移動するディスク装置において、
（ｂ）前記案内部材は、
（ｂ１）ディスク通過経路に上方から臨む基部と、
（ｂ２）基部の前記挿入方向上流側端部に連なり、挿入方向上流側になるに連れて上方に傾斜する案内部と、
（ｂ３）基部の長手方向両端部に、前記基体側にほぼ直角に屈曲して連なり、前記長手方向に平行な角変位軸線上にピンがそれぞれ設けられる２つの側壁部とを有し、
（ｃ）前記案内部材の基部には、基部の前記ディスク通過経路に臨む下面から突出する摺動部を有する滑り部材が設けられ、
（ｄ）基体は、各ピンがそれぞれ嵌まり込むピン孔が形成され、前記角変位軸線に垂直な仮想一平面にほぼ平行に立上がる２つの支持片を有し、
（ｅ）案内部材の遊端部は、ばねによって基体に近接する方向にばね付勢され、
（ｆ）各支持片のいずれか一方のピン孔には、直円筒状の内周面が臨み、この一方のピン孔には、直円筒状の外周面を有する一方のピンが回動自在に嵌まり込み、
各支持片のいずれか他方のピン孔には、前記角変位軸線を中心軸線とする仮想直円筒面に対して、前記角変位軸線を含む水平面よりも上方で、前記角変位軸線を含む鉛直面に前記挿入方向下流側から近接し、かつ前記水平面に略平行に延びる第１支持面と、前記仮想直円筒面の一部を成す第２支持面とが臨み、この他方のピン孔は他方のピンが通過することができるピン挿入孔を介して、他方の支持片の上面で開放し、
他方のピンは、前記他方のピン孔に嵌まり込んだ状態で、前記第１支持面に当接して支持される平坦状の当接面と、前記第２支持面に摺動して案内される直円筒面の一部を成す摺動面とを有することを特徴とするディスク装置。
【請求項２】
前記滑り部材は、その摺動部が案内部材の長手方向中央部から長手方向両端部寄りになるにつれて、前記下面からの突出量が増加するテーパ状滑り部材を含むことを特徴とする請求項１記載のディスク装置。
【請求項３】
前記他方のピンの摺動面は、その軸線を含み、かつ前記当接面に平行な仮想一平面に関して周方向両側に延びることを特徴とする請求項１または２記載のディスク装置。
【請求項４】
（ａ）ディスクを挿入し、または排出する開口部を有するハウジング内に基体が収容され、この基体に、ディスクの挿入方向下流側の端部を中心にして角変位自在な案内部材と、この案内部材の下方に配置され、ディスクの挿入方向に対応する挿入回転方向およびディスクの排出方向に対応する排出回転方向のいずれか一方に選択的に回転駆動される挿入排出用ローラとが、前記開口部に近接して設けられ、前記案内部材によってディスクを上方から支持した状態で、そのディスクに下方から前記挿入排出用ローラを弾発的に当接させて、前記挿入回転方向および排出回転方向のいずれか一方に回転し、前記ディスクを挿入方向および排出方向のいずれか一方に向けて移動するディスク装置において、
（ｂ）前記案内部材は、
（ｂ１）ディスク通過経路に上方から臨む基部と、
（ｂ２）基部の前記挿入方向上流側端部に連なり、挿入方向上流側になるに連れて上方に傾斜する案内部と、
（ｂ３）基部の長手方向両端部に、前記基体側にほぼ直角に屈曲して連なり、前記長手方向に平行な角変位軸線上にピンがそれぞれ設けられる２つの側壁部とを有し、
（ｃ）基体は、各ピンがそれぞれ嵌まり込むピン孔が形成され、前記角変位軸線に垂直な仮想一平面にほぼ平行に立上がる２つの支持片を有し、
（ｄ）案内部材の遊端部は、ばねによって基体に近接する方向にばね付勢され、
（ｅ）各支持片のいずれか一方のピン孔には、直円筒状の内周面が臨み、この一方のピン孔には、直円筒状の外周面を有する一方のピンが回動自在に嵌まり込み、
（ｆ）各支持片のいずれか他方のピン孔には、前記角変位軸線を中心軸線とする仮想直円筒面に対して、前記角変位軸線を含む水平面よりも上方で、前記角変位軸線を含む鉛直面に前記挿入方向下流側から近接し、かつ前記水平面に略平行に延びる第１支持面と、前記仮想直円筒面の一部を成す第２支持面とが臨み、この他方のピン孔は他方のピンが通過することができるピン挿入孔を介して、他方の支持片の上面で開放し、
（ｇ）他方のピンは、前記他方のピン孔に嵌まり込んだ状態で、前記第１支持面に当接して支持される平坦状の当接面と、前記第２支持面に摺動して案内される直円筒面の一部を成す摺動面とを有することを特徴とするディスク装置。
【発明の詳細な説明】
【０００１】
【発明の属する技術分野】
本発明は、デジタルビデオディスク（Digital Videos Disk，略称ＤＶＤ）およびコンパクトディスク（Compact Disk，略称ＣＤ）などのディスクに記録される情報を再生し、またはディスクに情報を記録するディスク装置に関する。
【０００２】
【従来の技術】
車載用オーディオ装置などとして実現されるディスク装置は、上記のＤＶＤまたはＣＤであるディスクを挿入し、または排出する開口部を有するハウジング内にシャーシなどとも呼ばれる基体が収容され、この基体には前記ディスクの挿入方向下流側の端部を中心にして角変位自在な案内部材と、この案内部材の下方に配置される挿入排出用ローラとが前記開口部に近接して設けられている。
【０００３】
前記挿入排出用ローラは、ディスクの挿入方向に対応する挿入回転方向およびディスクの排出方向に対応する排出回転方向のいずれか一方に選択的に回転駆動される。前記開口部から挿入されたディスクは、前記案内部材によって上方から支持された状態で、下方から弾発的に当接する前記挿入排出用ローラによって挿入方向下流側に向けて移動され、ホルダ内に供給され、このディスクを保持したホルダが下降して、ターンテーブル上に前記ディスクが装填される。光ピックアップによって前記ディスクに記録される音楽および画像などの情報が読出されて再生され、または前記情報がディスクに記録された後、前記ホルダはターンテーブル上のディスクを保持した状態で上昇し、このホルダの上昇動作に同期して上昇し、かつ排出回転方向に回転駆動される挿入排出用ローラによってホルダ内のディスクは上方から前記案内部材によって支持された状態で開口部から排出され、このようにして開口部から挿入されたディスクをテーブル上に装填し、再生しまたは記録した後、前記開口部から一部が突出する位置まで排出することができるように構成されている。
【０００４】
【発明が解決しようとする課題】
このような従来の技術では、ディスクの上面は案内部材に当接した状態で、そのディスクに下方から弾発的に当接する挿入排出用ローラの回転トルクによって前記ディスクを挿入し、または排出するように構成されるので、ディスクの上面および下面が前記案内部材および挿入排出用ローラとの摺接によって損傷し、この損傷はディスクの使用回数が増加するにつれて大きくなってしまうという問題がある。また前記ディスクは挿入時および排出時において前記案内部材によって上方から支持されるが、この案内部材は挿入方向下流側において、長手方向両端部に設けられる一対のピンによって前記基体に枢支される。基体には、前記ピンが嵌まり込む円形のピン孔を有する一対の支持片が設けられる。一方の支持片のピン孔は円柱状の一方のピンの外径よりも公差の範囲で大径の円孔であるが、他方のピン孔は、各支持片の間隔を変えずに他方のピン孔を嵌め込む必要があるため、他方のピン孔の内径よりも小さい幅を有するピン挿入孔を介して他方の支持片の上面に開放し、他方のピンは、他方のピン孔よりも公差の範囲で小さい円柱の一直径線方向両側を平坦面に切落したいわば小判形の形状である。したがって一方のピンは一方のピン孔に対して交差の範囲でがたつきを生じ、他方のピンは他方のピン孔に対して前記一方のピンのがたつきに比べて大きながたつきを生じる。さらに詳しく述べると、前記他方のピンは、２つの円筒面と２つの平坦面との稜線付近の角部がピン孔の内周面の周方向両端部で支持されるため、前記一方のピンに比べてがたつきが大きいという問題がある。
【０００５】
このように各ピンのうち一方のピンに対して他方のピンのがたつきが大きいと、前記挿入排出用ローラの軸線に対して案内部材のディスクへの摺接面の平行度が低下し、ディスクの挿入中心に関してディスクの左右両側で案内部材と挿入排出用ローラとの挟持圧力が異なり、ディスクの移動方向と予め定める挿入および排出方向に対してずれが生じ、装填時においてはディスクのテーブルへの装填不良が生じやすく、また排出時においては確実にディスクを排出することができなくなるおそれがあるという問題が生じる。
【０００６】
本発明の目的は、ディスクの損傷を防止することができるようにしたディスク装置を提供することである。
【０００７】
また本発明の目的は、案内部材のがたつきを防止し、ディスクを確実に装填し、かつ排出することができるようにしたディスク装置を提供することである。
【０００８】
【課題を解決するための手段】
請求項１記載の本発明は、（ａ）ディスクを挿入し、または排出する開口部を有するハウジング内に基体が収容され、この基体に、ディスクの挿入方向下流側の端部を中心にして角変位自在な案内部材と、この案内部材の下方に配置され、ディスクの挿入方向に対応する挿入回転方向およびディスクの排出方向に対応する排出回転方向のいずれか一方に選択的に回転駆動される挿入排出用ローラとが、前記開口部に近接して設けられ、前記案内部材によってディスクを上方から支持した状態で、そのディスクに下方から前記挿入排出用ローラを弾発的に当接させて、前記挿入回転方向および排出回転方向のいずれか一方に回転し、前記ディスクを挿入方向および排出方向のいずれか一方に向けて移動するディスク装置において、
（ｂ）前記案内部材は、
（ｂ１）ディスク通過経路に上方から臨む基部と、
（ｂ２）基部の前記挿入方向上流側端部に連なり、挿入方向上流側になるに連れて上方に傾斜する案内部と、
（ｂ３）基部の長手方向両端部に、前記基体側にほぼ直角に屈曲して連なり、前記長手方向に平行な角変位軸線上にピンがそれぞれ設けられる２つの側壁部とを有し、
（ｃ）前記案内部材の基部には、基部の前記ディスク通過経路に臨む下面から突出する摺動部を有する滑り部材が設けられ、
（ｄ）基体は、各ピンがそれぞれ嵌まり込むピン孔が形成され、前記角変位軸線に垂直な仮想一平面にほぼ平行に立上がる２つの支持片を有し、
（ｅ）案内部材の遊端部は、ばねによって基体に近接する方向にばね付勢され、
（ｆ）各支持片のいずれか一方のピン孔には、直円筒状の内周面が臨み、この一方のピン孔には、直円筒状の外周面を有する一方のピンが回動自在に嵌まり込み、
各支持片のいずれか他方のピン孔には、前記角変位軸線を中心軸線とする仮想直円筒面に対して、前記角変位軸線を含む水平面よりも上方で、前記角変位軸線を含む鉛直面に前記挿入方向下流側から近接し、かつ前記水平面に略平行に延びる第１支持面と、前記仮想直円筒面の一部を成す第２支持面とが臨み、この他方のピン孔は他方のピンが通過することができるピン挿入孔を介して、他方の支持片の上面で開放し、
他方のピンは、前記他方のピン孔に嵌まり込んだ状態で、前記第１支持面に当接して支持される平坦状の当接面と、前記第２支持面に摺動して案内される直円筒面の一部を成す摺動面とを有することを特徴とするディスク装置である。
【０００９】
本発明に従えば、ハウジング内に収容される基体にはピン孔が形成される２つの支持片がそれぞれ設けられ、各ピン孔には案内部材の側壁部に設けられるピンがそれぞれ嵌まり込み、案内部材の長手方向に平行な角変位軸線まわりに角変位自在に支持される。この案内部材の遊端部は、ばねによって基体に近接する方向にばね付勢されている。
【００１０】
このような案内部材の下方には、挿入排出用ローラが設けられ、ディスクの挿入方向に対応する挿入回転方向およびディスクの排出方向に対応する排出回転方向のいずれか一方に選択的に回転駆動される。この挿入排出用ローラと前記案内部材との間に配置されたディスクは、前記案内部材によって上方から支持された状態で、下方から前記挿入排出用ローラが弾発的に当接し、このような状態で挿入排出用ローラが前記挿入回転方向および排出回転方向のいずれか一方に回転駆動されることによって、挿入方向および排出方向のいずれか一方に向けて移動させ、そのディスクは装填され、または排出される。
【００１１】
前記案内部材は、ディスクの通過経路に上方から臨む基部と、この基部から挿入方向上流側に連なって上方に傾斜する案内部と、基部の長手方向両端部から基体側にほぼ直角に屈曲して連なり、前記ピンがそれぞれ設けられる２つの側壁部とを有し、このような案内部材の基部には滑り部材が設けられる。この滑り部材は前記基部の下面から突出する摺動部を有し、上記のように案内部材と挿入排出用ローラとの間に介在されたディスクには、前記摺動部が上方から弾発的に当接し、挿入排出用ローラの挿入回転方向または排出回転方向への回転によってディスクが挿入方向または排出方向に移動すると、そのディスクの上面には摺動部だけが摺接し、これによってディスクの上面と案内部材との間の滑り摩擦を少なくして円滑に移動することができ、ディスクの上面の損傷が防がれる。
【００１２】
またこのようにしてディスクの上面と案内部材との間の滑り摩擦力または摺動抵抗力が少なくなることによって、前記挿入排出用ローラは大きな回転トルクをディスクの下面に伝達して挿入方向または排出方向に押圧する必要がなくなり、これによってディスクの下面と挿入排出用ローラの接触領域との間の摩擦力を少なくし、ディスクの下面の損傷を減少させ、または無くすことができる。
【００１６】
本発明に従えば、一方のピン孔は直円筒状の内周面を有する、いわば円孔とされ、この一方のピン孔には外周面が直円筒状の一方のピンが回動自在に嵌まり込む。また他方のピン孔は、角変位軸線を含む水平面に略平行な第１支持面と仮想直円筒面の一部を成す第２支持面とを有し、ピン挿入孔を介して他方の支持片の上面で開放している。このような他方のピン孔には、他方のピンが嵌まり込む。この他方のピンは、当接面と摺動面とを有し、案内部材が上方に押圧された状態においては、前記他方のピンの当接面が他方のピン孔の第１支持面に当接して支持される。また前記一方のピンは、一方のピン孔の内周面の上側の領域に当接して支持される。このようにして一方のピンに関しては、一方のピン孔の内周を超えて変位することが防がれ、他方のピンに関しては、第１支持面に当接面が支持されることによって、他方のピンが上記のような構成であっても大きく変位してしまうことが防がれ、案内部材の長手方向両端部間のがたつきの相異に起因する滑り部材の摺動部のディスクの上面への接触状態のばらつきを少なくし、ディスクを挿入方向および排出方向に正確かつ確実に移動させることが可能となる。
【００１７】
また案内部材が前記角変位軸線まわりに角変位するときには、前記一方のピンは一方のピン孔の内周面の一部に接触して摺動し、また他方のピンは他方のピン孔の第２支持面の一部に接触して摺動し、各ピン間で大きながたつきの相異を生じることなしに円滑に角変位させることが可能となる。
【００１８】
請求項２記載の本発明は、前記滑り部材は、その摺動部が案内部材の長手方向中央部から長手方向両端部寄りになるにつれて、前記下面からの突出量が増加するテーパ状滑り部材を含むことを特徴とする。
本発明に従えば、前記滑り部材はテーパ状滑り部材を含み、その摺動部が案内部材の長手方向中央部から長手方向両端部寄りになるにつれて下面からの突出量が増加する方向に傾斜して形成される。したがってこのテーパ状滑り部材の摺動部には、ディスクの周縁部だけが接触して摺動し、ディスクの上面の損傷量をより一層少なくすることができる。しかもディスクの上面に対する前記テーパ状滑り部材の摺動部による摩擦力が減少するので、挿入排出用ローラによる挿入方向または排出方向への回転力も少なくてすみ、ディスクの下面の損傷をも少なくすることができる。
請求項３記載の本発明は、前記他方のピンの摺動面は、その軸線を含み、かつ前記当接面に平行な仮想一平面に関して周方向両側に延びることを特徴とする。
【００１９】
本発明に従えば、前記他方のピンの直円筒面の一部を成す摺動面は、この他方のピンの軸線を含みかつ前記当接面に平行な仮想一平面に関して周方向両側に延びて形成されるので、この他方のピンが前記他方のピン孔に装着された状態において、案内部材の角変位位置にかかわらず摺動面と第２支持面との間に発生し得る隙間の最大値は、前記他方のピンの摺動面が前記一平面に関して周方向両側に延びず、片側だけに形成される場合に比べて小さく、これによってもまた、案内部材のがたつきが抑制される。
【００２０】
請求項４記載の本発明は、（ａ）ディスクを挿入し、または排出する開口部を有するハウジング内に基体が収容され、この基体に、ディスクの挿入方向下流側の端部を中心にして角変位自在な案内部材と、この案内部材の下方に配置され、ディスクの挿入方向に対応する挿入回転方向およびディスクの排出方向に対応する排出回転方向のいずれか一方に選択的に回転駆動される挿入排出用ローラとが、前記開口部に近接して設けられ、前記案内部材によってディスクを上方から支持した状態で、そのディスクに下方から前記挿入排出用ローラを弾発的に当接させて、前記挿入回転方向および排出回転方向のいずれか一方に回転し、前記ディスクを挿入方向および排出方向のいずれか一方に向けて移動するディスク装置において、
（ｂ）前記案内部材は、
（ｂ１）ディスク通過経路に上方から臨む基部と、
（ｂ２）基部の前記挿入方向上流側端部に連なり、挿入方向上流側になるに連れて上方に傾斜する案内部と、
（ｂ３）基部の長手方向両端部に、前記基体側にほぼ直角に屈曲して連なり、前記長手方向に平行な角変位軸線上にピンがそれぞれ設けられる２つの側壁部とを有し、
（ｃ）基体は、各ピンがそれぞれ嵌まり込むピン孔が形成され、前記角変位軸線に垂直な仮想一平面にほぼ平行に立上がる２つの支持片を有し、
（ｄ）案内部材の遊端部は、ばねによって基体に近接する方向にばね付勢され、
（ｅ）各支持片のいずれか一方のピン孔には、直円筒状の内周面が臨み、この一方のピン孔には、直円筒状の外周面を有する一方のピンが回動自在に嵌まり込み、
（ｆ）各支持片のいずれか他方のピン孔には、前記角変位軸線を中心軸線とする仮想直円筒面に対して、前記角変位軸線を含む水平面よりも上方で、前記角変位軸線を含む鉛直面に前記挿入方向下流側から近接し、かつ前記水平面に略平行に延びる第１支持面と、前記仮想直円筒面の一部を成す第２支持面とが臨み、この他方のピン孔は他方のピンが通過することができるピン挿入孔を介して、他方の支持片の上面で開放し、
（ｇ）他方のピンは、前記他方のピン孔に嵌まり込んだ状態で、前記第１支持面に当接して支持される平坦状の当接面と、前記第２支持面に摺動して案内される直円筒面の一部を成す摺動面とを有することを特徴とするディスク装置である。
【００２１】
本発明に従えば、案内部材の基部には滑り部材が設けられ、この滑り部材の摺動部がディスクの上面に摺動し、これによってディスクの上面の損傷が防がれるとともに、ディスクが前記案内部材に対して円滑に摺動することができるので、挿入排出用ローラとディスクの下面との間の摩擦力を低減することができ、これによってディスクの下面の損傷が防止される。
【００２２】
また一方のピン孔は直円筒状の内周面が臨む、いわば円孔とされ、この一方のピン孔には直円筒状の外周面を有する一方のピンが回動自在に嵌まり込む。また他方のピン孔は、前記角変位軸線を含む水平面に略平行な第１支持面と、前記仮想直円筒面の一部を成す第２支持面とが形成され、前記他方のピンには前記第１支持面に当接して支持される当接面と、前記第２支持面に摺動して案内される摺動面とが形成される。また他方のピン孔は、角変位軸線を含む水平面に略平行な第１支持面と仮想直円筒面の一部を成す第２支持面とを有し、ピン挿入孔を介して他方の支持片の上面で開放している。このような他方のピン孔には、他方のピンが嵌まり込む。この他方のピンは、当接面と摺動面とを有し、案内部材が上方に押圧された状態においては、前記他方のピンの当接面が他方のピン孔の第１支持面に当接して支持される。また前記一方のピンは、一方のピン孔の内周面の上側の領域に当接して支持される。このようにして一方のピンに関しては、一方のピン孔の内周を超えて変位することが防がれ、他方のピンに関しては、第１支持面に当接面が支持されることによって、他方のピンが上記のような形状であっても大きく変位してしまうことが防がれ、案内部材の長手方向両端部間のがたつきの相異に起因する滑り部材の摺動部のディスクの上面への接触状態のばらつきを少なくし、ディスクを挿入方向および排出方向に正確かつ確実に移動させることが可能となる。
【００２３】
また案内部材が前記角変位軸線まわりに角変位するときには、前記一方のピンは一方のピン孔の内周面の一部に接触して摺動し、また他方のピンは他方のピン孔の第２支持面の一部に接触して摺動し、各ピン間で大きながたつきの相異を生じることなしに円滑に角変位させることが可能となる。
【００２４】
このようにしてディスクの損傷を防止し、案内部材のがたつきに起因するディスクの装填動作および排出動作に対する確実性および信頼性を向上することができる。
【００２５】
【発明の実施の形態】
図１は本発明の実施の一形態のディスク装置１を上方から見た断面図であり、図２は図１の下方から見て拡大して示すディスク装置１の断面図である。車載用オーディオ装置などとして実現されるディスク装置１は、ディスクに記録される音楽および画像などの情報を再生し、またはディスクに前記情報を記録するための装置である。ディスクは、たとえばＤＶＤおよびＣＤであってもよく、これらのいずれもポリカーボネート製のディスク基板の表面に微小な凹凸を設け、その上にアルミニウムを蒸着した反射膜を形成し、光ピックアップからのレーザ光を照射して、凹凸によるレーザ反射光の変化から信号を読取って再生する。
【００２６】
ディスク装置１は、基本的に、ハウジング２、基体３、ターンテーブル４、光ピックアップ５、光ピックアップ移動手段６、ホルダ７、ホルダ移動手段８、案内部材９、挿入排出用ローラ１０、一対のローラ支持アーム１１ａ，１１ｂ、およびローラ駆動手段１２を含む。ターンテーブル４、光ピックアップ５、光ピックアップ移動手段６、ホルダ７、ホルダ移動手段８、案内部材９、挿入排出用ローラ１０、各ローラ支持アーム１１ａ，１１ｂ、およびローラ駆動手段１２は、基体３に設けられる。
【００２７】
前記ハウジング２は、前記基体３、ターンテーブル４、光ピックアップ５、光ピックアップ移動手段６、ホルダ７、ホルダ移動手段８、案内部材９、挿入排出用ローラ１０、各ローラ支持アーム１１ａ，１１ｂおよびローラ駆動手段１２が収容され、正面壁１３、背後壁１４、上壁１５、底壁１６、および各側壁１７，１８を有する。正面壁１３には、直径８ｃｍのディスクＤ１および直径１２ｃｍのディスクＤ２（総称する場合にはディスクＤと記す）を選択的に挿入することができる横方向（図１および図２の左右方向）に細長い開口部２１が形成される。上壁１５には、リンクピン２２によって連結される一対の位置決めレバー２３ａ，２３ｂと、一方の位置決めレバー２３ｂの角変位によって、挿入されたディスクＤ１，Ｄ２のサイズを検出する２つのディスクサイズ検出スイッチＳＷ１，ＳＷ２とが設けられる。
【００２８】
各位置決めレバー２３ａ，２３ｂは、取付ピン２４ａ，２４ｂによって図１の紙面に垂直な軸線まわりに角変位自在に設けられ、他方の位置決めレバー２３ａは引張りばね２５によって前記開口部２１ａ側に延びるアーム部分２６ａ，２６ｂが相互に近接する方向にばね付勢している。各アーム部分２６ａ，２６ｂの図１における下方の先端部には、図２の正面から見た断面図に示されるように、前記開口部２１に連通するディスク通過経路内に突出する当接ピン２７ａ，２７ｂがそれぞれ設けられる。
【００２９】
たとえば直径８ｃｍのディスクＤ１は挿入すると、各当接ピン２７ａ，２７ｂにディスクＤ１の外周面が当接して相互に離反する方向に押圧し、これによって一方の位置決めレバー２３ｂに設けられる第２のアーム部分２８が第１のディスクサイズ検出スイッチＳＷ１の作動片を押圧し、これによってディスクＤ１が挿入されたことを検出することができる。また各位置決めレバー２３ａ，２３ｂはリンクピン２２によって連結されるので、上記のようにしてディスクＤ１を挿入したとき各位置決めレバー２３ａ，２３ｂの角変位量は相等しくされ、ディスクＤ１を前記ディスク通過経路の中心線２９上に配置するいわゆるセンターリングを行うことができる。また直径１２ｃｍのディスクＤ２を挿入すると、各位置決めレバー２３ａ，２３ｂは前記ディスクＤ１を挿入したときに比べてさらに外側方へ角変位し、前記第２のアーム部分２８によって各ディスクサイズ検出スイッチＳＷ１，ＳＷ２の各作動片が押圧され、直径１２ｃｍのディスクＤ２が挿入されたことを検出することができるように構成されている。
【００３０】
前記ハウジング２の底壁１６には、ハウジング２からの振動を吸収するために、複数（本実施の形態では３）の弾性支持手段３１ａ〜３１ｃを介して、前記基体３が支持される。この基体３は、前記ハウジング２の底壁１６とほぼ平行に配置される底板３２と、底板３２の幅方向（図１および図２の左右方向）両端部から上方に直角に屈曲して立上がる一対の側板３３，３４とを有する。これらの側板３３，３４には図１の紙面に垂直な上下方向に延びる昇降案内溝３５〜３７が形成される。
【００３１】
図３は図２の右方から見たディスク装置１の断面図であり、図３（１）は挿入排出用ローラ１０が下降した状態を示し、図３（２）は挿入排出用ローラ１０が上昇した状態を示す。図４は、図２の左方から見たディスク装置１の断面図であり、図４（１）は挿入排出用ローラ１０が下降した状態を示し、図４（２）は挿入排出用ローラ１０が上昇した状態を示す。図３（１）および図４（１）はディスクＤの装填完了状態に相当し、図３（２）および図４（２）はディスクＤの挿入または排出状態に相当している。図１をも参照して、前記ホルダ７は、各昇降案内溝３５〜３７にそれぞれ移動自在に嵌まり込む昇降案内ピン４１〜４３を有し、ディスクを保持した状態で、図３（１）および図４（１）に示される挿入排出位置と、図３（２）および図４（２）に示される装填完了位置とにわたって上下に移動可能に設けられる。
【００３２】
前記ホルダ移動手段８は、出力軸にウオーム４４が固定されるモータ４５と、ウオーム４４の回転を伝達する第１〜第１０歯車４６ａ〜４６ｊと、第１０歯車４６ｊに同軸に設けられるビニオン４７と、ビニオン４７が噛合するラック４８と、ラック４８が固定され、上記の各側壁１７，１８とほぼ平行に設けられる作動片５５と、各側壁１７，１８および作動片５５とほぼ平行に設けられ、作動片５５の変位に伴って変位される一対の移動体４９ａ，４９ｂとを有する。したがってモータ４５によって各移動片４９ａ，４９ｂを、その長手方向となるハウジングの前後方向（図１の上下方向）に変位させることができる。
【００３３】
前記移動体４９ａ，４９ｂには、各側板３３，３４の昇降案内溝３５〜３７をそれぞれ挿通して突出する昇降案内ピン４１〜４３がそれぞれ嵌まり込む摺動案内溝５０〜５２が形成される。各移動体４９ａ，４９ｂは、各摺動案内溝５０〜５２に臨んで、ホルダ７を上昇させるときに各昇降案内ピン４１〜４３を下方から押圧する上昇案内面５３と、ホルダ７を下降させるときに各昇降案内ピン４１〜４３を上方から下方へ押圧する下降案内面５４とを有し、これらの案内面５３，５４は移動体４９ａ，４９ｂの長手方向一端部（正面側端部，前側）から他端部（背後側端部）になるにつれて下方に傾斜する傾斜領域と、この傾斜領域の両側に連なる水平領域とを有する。
【００３４】
また作動片５５は、ディスクＤがホルダ７内に供給されていない状態では、ラック４８とピニオン４７とが噛合しないように、かつディスクＤがホルダ７内に供給されと、ラック４８がピニオン４７と噛合するように、作動レバー６９で変位されるように構成され、ラック４８がピニオン４７噛合した状態では、モータ４５によって作動片５５を駆動し、各移動体４９ａ，４９ｂを移動させることができる。このようなホルダ移動手段８によって、前記ホルダ７を図３（１）および図４（１）に示される装填完了位置と図３（２）および図４（２）に示される挿入排出位置とにわたって挿入方向Ｂ１および排出方向Ｂ２に移動することができる。
【００３５】
前記基体３の図３（１）および図４（１）に示される挿入排出位置に配置されたホルダ７よりもディスクＤの挿入方向Ａ１上流側（図１の下方）には、前記案内部材９が設けられる。この案内部材９の両側には、各側板３３，３４に形成されるピン孔５９，６０に矢符Ｃ１方向および矢符Ｃ２方向に角変位自在に嵌まり込むピン６１，６２がそれぞれ形成される。案内部材９の挿入方向Ａ１上流側の遊端部側の両端部６３ａ，６３ｂには引張ばね６５ａ，６５ｂの各一端部が係止され、引張ばね６５ａ，６５ｂの各他端部は基体３に係止される。このような引張ばね６５ａ，６５ｂによって案内部材９は矢符Ｃ２方向、すなわち前記遊端部をディスクＤの通過経路に近接する方向にばね付勢されている。
【００３６】
このような案内部材９の下方には、前記挿入排出用ローラ１０が案内部材９の各ピン６１，６２の角変位軸線に平行な軸線まわりに回転自在に設けられる。この挿入排出用ローラ１０は、各ローラ支持アーム１１ａ，１１ｂの遊端部に軸支されるローラ軸６６と、ローラ軸６６に同軸に固定され、可撓性および弾発性を有する材料から成るローラ本体６７とを有する。前記可撓性および弾発性を有する材料は、たとえば硬度５５°のシリコンゴムが用いられ、後処理として温度２００℃、時間５．５時間で２次加硫され、外周面は梨地状に処理されて、粗面状にされている。
【００３７】
前述の各ローラ支持アーム１１ａ，１１ｂは、前記挿入排出用ローラ１０よりも挿入方向Ａ１上流側で前記基体３に矢符Ｅ１方向および矢符Ｅ２方向に角変位自在に連結される。具体的には、各ローラ支持アーム１１ａ，１１ｂには、基端部にピン５６ａ，５６ｂが形成され、基体３の３２の両側部から上方に立上がる支持壁５７ａ，５７ｂには、ピン孔５８ａ，５８ｂが形成される。各ローラ支持アーム１１ａ，１１ｂのピン５６ａ，５６ｂが各支持壁５８ａ，５８ｂのピン孔５８ａ，５８ｂに嵌まり込んで、各ローラ支持アーム１１ａ，１１ｂが、案内部材９の角変位軸線と平行な角変位軸線６８まわりに、矢符Ｅ１方向および矢符Ｅ２方向に角変位自在に連結される。
【００３８】
この各ローラ支持アーム１１ａ，１１ｂは、ローラ駆動手段１２によって前記矢符Ｅ１，Ｅ２方向に角変位駆動される。ローラ駆動手段１２は、ホルダ移動手段８と連動して、ディスク挿入時には、各ローラ支持アーム１１ａ，１１ｂを上方へ角変位させるとともに、挿入排出用ローラ１０を挿入回転方向に回転し、ディスク排出時には、各ローラ支持アーム１１ａ，１１ｂを上方へ角変位させるとともに、挿入排出用ローラ１０を前記排出回転方向に回転し、ディスク装填時には、各ローラ支持アーム１１ａ，１１ｂを下方へ角変位させる。
【００３９】
本実施の形態では、ローラ駆動手段１２は、前記ホルダ移動手段８を含み、さらに第７歯車４６ｇと同軸に設けられる第１ねじ歯車７８ａ、第１ねじ歯車７８ａと噛合する第２ねじ歯車７８ｂ、および第２ねじ歯車７８ｂの回転を伝達する第１１歯車４６ｋ〜第１３歯車４６ｍを含む。第１３歯車４６ｍは、ローラ軸６６に固定されている。
【００４０】
前記移動体４９ａ，４９ｂには、各ローラ支持アーム１１ａ，１１ｂの遊端部に支持されるローラ軸６６の両端部が嵌まり込む摺動案内溝３８ａ，３８ｂが形成される。各移動体４９ａ，４９ｂは、各摺動案内溝３８ａ，３８ｂに臨んで、各ローラ支持アーム１１ａ，１１ｂを上方（矢符Ｅ１方向）に角変位させるときにローラ軸６６を下方から押圧する上昇案内面３９と、各ローラ支持アーム１１ａ，１１ｂを下方（矢符Ｅ２方向）に角変位させるときにローラ軸６６を上方から下方へ押圧する下降案内面４０とを有し、これらの案内面３９，４０は移動体４９ａ，４９ｂの長手方向一端部（正面側端部，前側）から他端部（背後側端部）になるにつれて下方に傾斜する傾斜領域と、この傾斜領域の両側に連なる水平領域とを有する。このようなローラ駆動手段１２によって、各ローラ支持アーム１１ａ，１１ｂを、前記ホルダ７と連動して、ホルダ７が挿入排出位置にあるときの図３（１）および図４（１）に示される上限位置と、ホルダ７が装填完了位置にある図３（２）および図４（２）に示される下限位置とにわたって矢符Ｅ１方向および矢符Ｅ２方向に移動することができる。各ローラ支持アーム１１ａ，１１ｂは、ホルダ７が挿入方向Ｂ１に変位するとき矢符Ｅ２方向に角変位され、ホルダ７が排出方向Ｂ２に変位するとき矢符Ｅ１方向に角変位される。
【００４１】
挿入排出ローラ１１は、各ローラ支持アーム１１ａ，１１ｂが上方に角変位された状態では、第１３歯車４６ｍが第１２歯車４６ｌと噛合し、各ローラ支持アーム１１ａ，１１ｂが下方に角変位された状態では、第１３歯車４６ｍは第１２歯車４６ｌと噛合しない。各ローラ支持アーム１１ａ，１１ｂが上方に角変位された状態にあるとき、挿入排出ローラ１０は、ディスクＤの下面に弾発的に当接することができ、モータ４５からの動力が伝達されて、回転されることによって、ディスクＤを移動させることができる。ディスクＤを挿入方向Ａ１に移動させる挿入時には、挿入排出用ローラ１０は、挿入方向Ａ１に沿った挿入回転方向に回転駆動され、ディスクＤを排出方向Ａ２に移動させる排出時には、挿入排出用ローラ１０は、排出方向Ａ２に沿った排出回転方向に回転駆動される。
【００４２】
ディスク装置１では、ローラ駆動手段１２によって挿入排出用ローラ１０およびローラ支持アーム１１ａ，１１ｂを駆動し、ホルダ移動手段８によってホルダ７を移動させることによって、開口部２１部分的に挿入された位置にあるディスクＤをターンテーブル４に乗載される位置まで移動することができ、かつターンテーブル上のディスクを開口部２１から部分的に突出する位置まで移動させることができる。ディスクＤがターンテーブル４に乗載された状態で、モータが内臓されたターンテーブル４によってディスクＤを回転し、モータ３０、モータ７９の出力軸の回転を伝達する第１４〜第１７歯車４６ｎ〜４６ｑ、および第１７歯車４６ｑが固定される送り軸８０を有する光ピックアップ移動手段６によって、光ピックアップ５をディスクの半径方向に移動しながら光ピックアップ５によって、ディスクＤを再生し、またはディスクＤに記録することができる。このようなディスクＤの再生および記録時には、挿入排出用ローラ１０は、ディスクＤから下方に退避している。
【００４３】
図５は案内部材９の平面図であり、図６は案内部材９の底面図であり、図７は図５の左方から見た案内部材９の側面図であり、図８は図５の右方から見た案内部材９の側面図である。図９は図５の下方から見た案内部材９の正面図であり、図１０は図５の上方から見た案内部材９の背面図である。
【００４４】
前記案内部材９は、ディスクＤの通過経路に上方から臨む基部８１と、基部８１の前記挿入方向Ａ１上流側の端部に連なり、挿入方向Ａ１上流側になるにつれて、上方に傾斜する案内部８２と、基部８１の長手方向（図５の左右方向）両端部に、前記基部８１から下方（基体３）側にほぼ直角に屈曲して連なり、前記長手方向に平行な角変位軸線８７上にピン６１，６２がそれぞれ設けられる２つの側壁部８５，８６とを有する。
【００４５】
前記案内部材９の基部８１には、基部８１の前記ディスク通過経路に臨む下面８８から突出する摺動部８９，９０を有する第１および第２滑り部材９１，９２が設けられる。案内部材９の基部８１には、第１および第２滑り部材９１，９２にそれぞれ対応して各複数の透孔９３，９４が前記長手方向に間隔をあけて形成される。第１および第２滑り部材９１，９２は、各透孔９３，９４を挿通して、案内部材９の上面９５上で突出する抜止め部９６，９７をそれぞれ有する。
【００４６】
前記基体３には、各ピン６１，６２が嵌まり込むピン孔５９，６０が形成され、前記角変位軸線８７に垂直な仮想一平面にほぼ平行に立上がる２つの支持片１０１，１０２が設けられる。案内部材９は、各ピン６１，６２が前記基体３の各支持片１０１，１０２のピン孔５９，６０にそれぞれ嵌まり込んだ状態で、この案内部材９の遊端部を基体３に近接する方向Ｃ２にばね付勢する一対の引張りばね６５ａ，６５ｂの各一端部が係止される。各引張りばね６５ａ，６５ｂの他端部は、基体３にそれぞれ係止される。
【００４７】
図１１は図５の切断面線Ｋ−Ｋから見た第１滑り部材９１の拡大断面図であり、図１２は図５の切断面線Ｌ−Ｌから見た第１滑り部材９１の拡大断面図であり、図１３は図５の切断面線Ｍ−Ｍから見た第１滑り部材９１の拡大断面図であり、図１４は図５の切断面線Ｓ−Ｓから見た第１滑り部材９１の拡大断面図であり、図１５は、図５の切断面線Ｔ−Ｔから見た第１滑り部材９１の拡大断面図である。前記第１滑り部材９１は、案内部材９の基部８１の下面８８上の摺動部８９と上面９５上の抜止め部９６とが各透孔９３を介して一体的に連なって形成される。摺動部８９は、熱可塑性樹脂、たとえばポリテトラフルオロエチレン（商品名テフロン）から成り、射出成形によって前記案内部材９の基部８１に一体成形される。この第１滑り部材９１は、摺動部８９が案内部材３の長手方向中央部から長手方向両端部６３ａ，６３ｂ寄りになるにつれて、前記下面８８からの突出量Ｈ１が増加する方向に変化するテーパ状滑り部材である。この摺動部８９は、挿入方向Ａ１上流側から下流側になるにつれて前記下面８８からの突出量Ｈ１が増加し、挿入時のディスクＤを案内することができる。挿入案内面１０５と、挿入方向上流側から下流側になるにつれて突出量Ｈ１が減少する方向に外方に凸に湾曲する排出案内面１０６とが形成される。前記挿入案内面１０５によって、挿入時のディスクＤが案内され、また前記排出案内面１０６によって排出時のディスクＤが案内され、ディスクＤの挿入および排出動作の円滑化が図られている。また前述したように第１滑り部材９１の摺動部８９は、長手方向中央部から長手方向両端部寄りになるにつれて基部８１の下面８８からの突出量Ｈ１が増加する方向に長手方向に傾斜しているので、挿入時および排出時におけるディスクの周縁部だけが接触して案内され、ディスクＤの上面はほとんど接触することはないので、このディスクＤの上面の損傷が防がれ、微少な擦過傷などが残存することが防がれる。
【００４８】
さらに上記のようにして第１滑り部材９１によってディスクＤの上面が円滑に案内されるので、挿入排出用ローラ１０によってディスクＤを挿入方向および排出方向に押圧するための回転トルクも少なくてすみ、したがってディスクＤの下面が挿入排出用ローラ１０から受ける摩擦力が小さくなり、ディスクの画面の損傷が防がれ、再生時における光ピックアップ５による情報の誤検出が防がれ、光ピックアップ５による読取り信号へのノイズなどの混入を防止して、ディスクＤの記録情報に対する明瞭な再現性を達成することができる。また記録時においては、前記ディスクの下面に損傷が存在しないことによって、書込み情報の欠落が防がれ、正確に情報をディスクＤに記録することができる。
【００４９】
図１６は図５の切断面線Ｐ−Ｐから見た第２滑り部材９２の拡大断面図であり、図１７は図５の切断面線Ｎ−Ｎから見た第２滑り部材９２の拡大断面図であり、図１８は図５の切断面線Ｑ−Ｑから見た第２滑り部材９２の拡大断面図であり、図１９は図５の切断面線Ｕ−Ｕから見た第２滑り部材９２の拡大断面図であり、図２０は図５の切断面線Ｒ−Ｒから見た第２滑り部材９２の拡大断面図である。
【００５０】
前記第２滑り部材９２は、前記第１滑り部材９１と同様な熱可塑性材料から成り、基部８１の下面８８から突出する摺動部９０と上面９５から突出する抜止め部９７とが透孔９４を介して一体的に連なり、基部８１に一体成形される。この第２滑り部材９２の摺動部９０は、基部８１の長手方向にほぼ同一断面で、挿入方向Ａ１上流側から下流側に向って下面８８に近接する方向に傾斜する排出案内面１０８と、挿入方向Ａ１上流側から下流側に向って前記下面８８から突出量Ｈ２が増加する方向に変化し、挿入方向Ａ１上流側の斜め下方に向って凸に湾曲した挿入案内面１０９とが形成される。
【００５１】
基部８１の挿入方向Ａ１下流側端部付近でかつ長手方向他端部寄りには、挿入方向Ａ１下流側に臨んで開放した切欠き１１１が形成されるため、この切欠き１１１に臨む周縁部には、図５の平面図で略Ｕ字状の切欠き保護部１１２が形成される。この切欠き保護部１１２は、図２０に示されるように、その断面形状が凹状であり、基部８１の下面８８、上面９５および挿入方向Ａ１下流側に臨む端面１１３を覆い、基部８１の切欠き１１１に臨む周縁部が露出しないようにして、ディスクＤが切欠き１１１の周縁部に直接接触しないようにして、損傷を防止している。
【００５２】
図２１は基体３の平面図であり、図２２は図２１の左方から見た基体３の側面図であり、図２３は図２１の右方から見た基体３の側面図であり、図２４は一方の支持片１０１付近を拡大して示す側面図である。前記基体３は、前記底板３２の幅方向（図２１の左右方向）両側部から上方（図２１の紙面に垂直手前側）にほぼ直角に立上がる一対の支持片１０１，１０２を有する。この基体３を、図２１の下方から上方と成る挿入方向Ａ１上流側から下流側を見て右側に配置される一方の支持片１０２に設けられるピン孔６０には、直円筒状の内周面１１７が臨み、この一方のピン孔６０には直円筒状の外周面１１８を有する一方のピン６２が回動自在に嵌まり込む。各支持片１０１，１０２のいずれか他方の支持片１０１に設けられるピン孔５９には、前記第２の角変位軸線８７を中心軸線とする仮想直円筒面１１９に対して前記角変位軸線８７を含む水平面１２０よりも上方で、前記角変位軸線８７を含む鉛直面１２１に前記挿入方向Ａ１下流側から近接し、かつ前記水平面１２０に略平行に延びる第１支持面１２２と前記仮想直円筒面１１９の一部を成す第２支持面１２３とが臨むようにして形成される。この他方のピン孔５９は、他方のピン６１が通過することができるピン挿入孔１２４を介して、他方の支持片１０１の上面１２５上で開放している。
【００５３】
前記ピン挿入孔１２４は、鉛直面１２１に平行な第１および第２挿入案内面１２６，１２７と、第１および第２挿入案内面１２６，１２７の上端から上方になるにつれて相互に離反する方向に拡開する第３および第４挿入案内面１２８，１２９とによって形成される。第１および第２挿入案内面１２６，１２７間の間隔ｂ１は、他方のピン６１の幅ｂ２よりもわずかに大きく選ばれており、図２４の仮想線６１で示されるように、縦方向にしてピン挿入孔１２４を通過させ、他方のピン孔５９内で約９０°角変位させることによって、図２４の実線で示されるように装着することができる。このとき、前記一方のピン６２は一方の支持片１０２のピン孔６０に嵌まり込んだ状態とされ、この一方のピン６２を一方のピン孔６０に嵌め込んだ後、前記他方のピン６１を他方のピン孔５９へ上記のようにして装着することができる。このようにピン挿入孔１２４が形成されるのは、案内部材９の各支持片１０１，１０２への取付け時に、各ピン６１，６２を各ピン孔５９、６０に嵌め込むに際して各支持片１０１，１０２を相互に離反する方向に変形させずに装着するためである。
【００５４】
前記第１支持面１２２は前述したように水平面１２０に対してほぼ平行であり、たとえば角度θを成す。この角度は、１〜２°程度に選ばれる。
【００５５】
上記の他方のピン６１は、前記他方のピン孔５９に嵌まり込んだ状態で、第１支持面１２２に当接して支持される平坦状の当接面１３１と、第２支持面１２３に摺動して案内される直円筒面の一部を成す一対の摺動面１３２，１３３と、前記当接面１３１と平行に間隔ｂ２をあけて形成される下面１３４とを有し、これらの当接面１３１、各摺動面１３２，１３３および下面１３４によって、外周面を構成している。したがって他方のピン６１の各摺動面１３２，１３３は、前記角変位軸線８７と同一直線状に存在する軸線を含みかつ当接面１３１に平行な仮想一平面１３５に関して周方向両側に延びて形成される。
【００５６】
このような構成によって、前記他方のピン６１の直円筒面の一部を成す摺動面１３２，１３３は、この他方のピン６１の軸線を含みかつ前記当接面１３１に平行な仮想一平面１３５に関して周方向両側に延びて形成されるので、この他方のピン６１が前記他方のピン孔５９に装着された状態において、案内部材９の角変位位置にかかわらず摺動面１３２，１３３と第２支持面１２３との間に発生し得る隙間の最大値は、前記他方のピン６１の摺動面１３２，１３３が前記一平面１３５に関して周方向両側に延びず、片側だけに形成される場合に比べて小さく、これによってもまた、案内部材９のがたつきが抑制される。
【００５７】
また一方のピン孔６０は直円筒状の内周面を有する、いわば円孔とされ、この一方のピン孔６０には外周面が直円筒状の一方のピン６２が回動自在に嵌まり込む。また他方のピン孔５９は、角変位軸線８７を含む水平面に略平行な第１支持面１２２と仮想直円筒面の一部を成す第２支持面１２３とを有し、ピン挿入孔１２４を介して他方の支持片１０１の上面１２５で開放している。このような他方のピン孔５９には、他方のピン６１が嵌まり込む。この他方のピン６１は、当接面１３１と摺動面１３２，１３３とを有し、案内部材９が上方に押圧された状態、すなわち第１滑り部材９１がディスクに当接して案内部材９の遊端部が引張ばね６５ａ，６５ｂによって付勢された状態においては、前記他方のピン６１の当接面１３１が他方のピン孔５９の第１支持面１２２に当接して支持される。また前記一方のピン６２は、一方のピン孔６０の内周面の上側の領域に当接して支持される。このようにして一方のピン６２に関しては、一方のピン孔６０の内周面を超えて公差以上に変位することが防がれ、他方のピン６１に関しては、第１支持面１２２に当接面１３１が支持されることによって、他方のピン６１が公差以上に大きく変位してしまうことが防がる。具体的には、一方のピン６２および一方のピン孔６０に関しては、公差分だけのがたつきが生じる。他方のピン６１のように小判形の場合にピン孔が部分的に開放される円孔であると、支持位置が２つの円筒面と２つの平坦面の交わる稜線部となり、図２４に示す稜線部のピン孔円周面との間の平坦面に垂直な方向の距離ｂ５，ｂ６の合計分のがたつきをもつことになるが、本実施の形態では、当接面１３１が第１支持面１２２に支持されるので、一方のピン６２に関するがたつきよりも大きながたつきを生じることがなく、各ピン６１，６２のがたつきが同程度とされる。これによって案内部材９の長手方向両端部６３ａ，６３ｂ間のがたつきの相異に起因する各滑り部材９１，９２の摺動部８９，９０のディスクＤの上面への接触状態のばらつきを少なくし、ディスクを挿入方向Ａ２および排出方向Ａ２に正確かつ確実に移動させることが可能となる。
【００５８】
また案内部材９が前記角変位軸線８７まわりに角変位するときには、前記一方のピン６２は一方のピン孔６０の内周面の一部に接触して摺動し、また他方のピン６１は他方のピン孔５９の第２支持面１２３の一部に接触して摺動し、各ピン６１，６２間で大きながたつきの相異を生じることなしに円滑に角変位させることが可能となる。
【００５９】
このように長手方向に平行な角変位軸線８１まわりに角変位自在に支持される。案内部材の遊端部は、ばね６５ａ，６５ｂによって基体３に近接する方向にばね付勢されている。
【００６０】
このような案内部材９の下方には、挿入排出用ローラ１０が設けられ、ディスクＤの挿入方向Ａ１に対応する挿入回転方向およびディスクＤの排出方向Ａ２に対応する排出回転方向のいずれか一方に選択的に回転駆動される。この挿入排出用ローラ１０と前記案内部材９との間に配置されたディスクＤは、前記案内部材Ｄによって上方から支持された状態で、下方から前記挿入排出用ローラ１０が弾発的に当接し、このような状態で挿入排出用ローラ１０が前記挿入回転方向および排出回転方向のいずれか一方に回転駆動されることによって、挿入方向Ａ１および排出方向Ａ２のいずれか一方に向けて移動させ、そのディスクＤは装填され、または排出される。
【００６１】
前記案内部材９は、ディスクＤの通過経路に上方から臨む基部８１と、この基部８１から挿入方向上流側に連なって上方に傾斜する案内部８２と、基部の長手方向両端部から基体３側にほぼ直角に屈曲して連なり、前記ピン６１，６２がそれぞれ設けられる２つの側壁部とを有し、このような案内部材９の基部８１には滑り部材９１，９２が設けられる。この滑り部材９１，９２は前記基部８１の下面８８から突出する摺動部８９，９０を有し、上記のように案内部材９と挿入排出用ローラ１０との間に介在されたディスク１０には、前記摺動部８９，９０が上方から弾発的に当接し、挿入排出用ローラ１０の挿入回転方向または排出回転方向への回転によってディスクＤが挿入方向Ａ１または排出方向Ａ２に移動すると、そのディスクＤの上面には摺動部８９，９０だけが摺接し、これによってディスクＤの上面と案内部材９との間の滑り摩擦を少なくして円滑に移動することができ、ディスクＤの上面の損傷が防がれる。
【００６２】
またこのようにしてディスクＤの上面と案内部材９との間の滑り摩擦力または摺動抵抗力が少なくなることによって、前記挿入排出用ローラ１０は大きな回転トルクをディスクＤの下面に伝達して挿入方向Ａ１または排出方向Ａ２に押圧する必要がなくなり、これによってディスクＤの下面と挿入排出用ローラ１０の接触領域との間の摩擦力を少なくし、ディスクＤの下面の損傷を減少させ、または無くすことができる。
【００６３】
さらに前記滑り部材９１，９２はテーパ状滑り部材９１を含み、その摺動部８９が案内部材９の長手方向中央部から長手方向両端部６３ａ，６３ｂ寄りに成るにつれて下面からの突出量が増加する方向に傾斜して形成される。したがってこのテーパ状滑り部材９１の摺動部８９には、ディスクの周縁部だけが接触して摺動し、ディスクの上面の損傷量をより一層少なくすることができる。しかもディスクＤの上面に対する前記テーパ状滑り部材９１の摺動部８９による摩擦力が減少するので、挿入排出用ローラ１０による挿入方向Ａ１または排出方向Ａ２への回転力も少なくてすみ、ディスクＤの下面の損傷をも少なくすることができる。
【００６４】
図２５は、挿入排出用ローラ１０の断面図であり、図２６は案内部材９と挿入排出用ローラ１０との間にディスクＤが配置された状態を模式的に示す断面図である。前記挿入排出用ローラ１０は、可撓性および弾発性を有する材料から成り、軸線方向中央部１４１から軸線方向両端部１４２，１４３寄りになるにつれて直径ｄが増加する外周面１４４を有するローラ本体６７と、このローラ本体６７に相互の回転が許容された状態で、同軸に挿入されて挿通されるローラ軸６６とを含む。ローラ本体６７の外径ｄは、軸線方向中央部１４１においては、たとえば４．６ｍｍであり、軸線方向両端部１４２，１４３においては６．０５ｍｍに選ばれる。前記可撓性および弾発性を有する材料は、たとえば硬度５５°のシリコンゴムが用いられ、後処理として温度２００℃で５．５時間の２次加硫処理が行われている。また軸線方向両端部付近の外周面は、梨地処理によって粗面状とされ、図２６に示されるように、ディスクＤの周縁部に下方から接触したとき、ディスクに対する摩擦を小さくして、このディスクＤがホルダ７内に供給された挿入完了位置に配置されたとき、ローラ本体６７からディスクＤにむやみに大きな押込み力が作用しないようにしている。またローラ本体６７にはローラ軸６６が挿入されており、相互に固定されていない。したがって挿入排出用ローラ１０の回転によって所定以上にディスクＤに対する押圧力が大きくなると、ローラ軸６６とローラ本体６７とが相対的に滑りを生じ、これによってむやみに大きな押圧力が作用することが防止されるとともに、ディスクＤとローラ本体６７が摺動することを防止してディスクの損傷を防止できる。
【００６５】
また、ローラ本体６７の内周面は、長手方向両端部１４２，１４３付近の領域が梨地処理されて粗面状とされ、１２ｃｍディスクＤ２を移動するときの当接領域となる両端部１４２，１４３付近の領域で、ローラ本体６７がローラ軸６６に対して回転しやすくしている。これによって、ディスクへの作用する押圧力が大きくなる１２ｃｍディスクＤ２を移動させる場合には、ローラ本体６７とローラ軸６６と相互に回転してディスクＤ２に大きな押圧力が作用することを防ぎ、かつディスクへの作用する押圧力が小さくなってしまう８ｃｍディスクＤ１を移動させる場合には、ローラ本体６７とローラ軸６６とが相互に回転することを防ぐことができる。これによって挿入排出用ローラ１０によって押圧力を作用させやすい１２ｃｍディスクＤ２に対しては、ローラ本体６７とローラ軸６６との間の回転によってディスクＤ２に対する押圧力を小さくして、むやみに大きな押圧力が作用することを防止し、ローラ本体６７とディスクの摺接を防いでディスクの損傷を防止し、かつ押圧力を作用させにくい８ｃｍディスクＤ１に対しては、ローラ本体６７とローラ軸６６とが回転しにくくなるようにして、ディスクに対して充分な押圧力を作用させることができる。１２ｃｍディスクＤ２と８ｃｍディスクＤ１とで挿入排出用ローラ１０からの押圧力に差が生じるのは、滑り部材９１およびローラ本体６７が上記のようにテーパ状とされて、挟持が大きくなり、したがって、挿入排出用ローラ１０によるディスクの押圧力が大きくなるためである。
【００６６】
また前述したように、案内部材９には第１および第２滑り部材９１，９２が設けられ、特に第１滑り部材９１がテーパ状として摺動部８９が長手方向中央部から長手方向両端部に向って突出量が増加する方向に傾斜して形成されるので、案内部材９および挿入排出用ローラ１０によって挟まれたディスクＤは、上面および下面の双方とも周縁部だけが第１滑り部材９１の摺動部８９および挿入排出用ローラ１０のローラ本体６７に接触し、周縁部よりも内方の上下各表面は接触しないので、上面および下面の損傷が防がれ、いわばこすり傷様の傷が生じない。またディスクＤの周縁部だけがローラ本体６７に接触するため、ディスクＤの周縁部に欠損および変形などが存在した。前記ローラ本体６７の変形によって許容することができ、ディスクＤの走行方向が挿入時および排出時の移動経路の中心から大きくずれてしまうことが防がれる。
【００６７】
図２７は、本発明の実施の他の形態の挿入排出用ローラ１０ａを示す断面図である。なお、前述の実施の形態と対応する部分には同一の参照符を付す。本実施の形態の挿入排出用ローラ１０ａは、前述の実施の形態の挿入排出用ローラ１０に代えて用いることができる。この挿入排出用ローラ１０ａは、軸線方向中央部１４１で分割され、２つのローラ本体部分１４６ａ，１４６ｂに分離され、相互に間隔ｓをあけて軸線方向に離間している。各本体部分１４６ａ，１４６ｂの外周面１４７ａ，１４７ｂは、離間部を除いて、前述の実施の形態の挿入排出用ローラ１０のローラ本体６７と同一の外形（外径）とされる。このようにローラ本体６７を２つのローラ本体部分１４６ａ，１４６ｂに分割することによって、各ローラ本体１４６ａ，１４６ｂの各内周面とローラ軸６６の外周面との有効接触面積が少なくなり、各ローラ本体部分１４６ａ，１４６ｂに対するローラ軸６６の摩擦をより少なくして、ディスクＤが停止したときから、より短時間でローラ軸６６が各ローラ本体部分１４６ａ，１４６ｂに伝達される回転トルクを遮断して、ディスクＤの押圧力を解除することができる。
【００６８】
またディスクの変形などによって各ローラ本体部分のディスクに対する接触圧などの接触状態が軸線方向両側で相違しても、各ローラ本体部分は個別にローラ軸６６に対して回転することができ、これによってディスクの変形などによる挿入方向Ａ１に対して左右の送り量の相違を許容して、分割された各ローラ本体部分１４６ａ，１４６ｂがディスクに対して回転することを個別に防止することができ、これによってディスクの損傷が防がれる。
【００６９】
本発明の実施のさらに他の形態として、図２５および図２７に示される各挿入排出用ローラ１０，１０ａにおいて、ローラ本体６７は、ローラ軸６６が挿入される軸孔の内径を、軸線方向中央部１４１よりも軸線方向両端部１４２，１４３が大きくなるようにわずかな傾斜を有する円錐台状とすることによって、軸線方向両端部１４２，１４３付近においてローラ軸６６とローラ本体６７との間の摩擦をより小さくすることができ、これによってもまた、ディスクＤが停止したときに、ローラ軸６６の回転のローラ本体６７ａの伝達をより早期に遮断し、ディスクＤの押圧力を解除することができる。つまり、両端部１４２，１４３付近に内面を梨地処理して粗面状とすることによる効果と同様の効果が得られる。
【００７０】
本発明の実施のさらに他の形態として、ローラ本体６７は３以上の複数のローラ本体部分から構成し、軸線方向中央部１４１から軸線方向両端部１４２，１４３寄りに成るにつれて大径となる円錐台状の外周面をそれぞれ有する。このような構成によって、サイズの異なるディスクＤ、すなわち直径８ｃｍのディスクＤ１と直径１２ｃｍのディスクＤ２とのいずれが装填された場合であっても、各サイズのディスクＤ１，Ｄ２の外周部が接触するローラ本体部分だけが接触するので、ディスクＤ１，Ｄ２の周縁部に接触したローラ部分とローラ軸との摩擦をより一層少なくすることができ、ディスクＤ１，Ｄ２への不所望な押圧力を早期に解除することができるとともに、挿入排出用ローラ１０を回転駆動するために大きな回転動力を必要とせず、モータを小形化することが可能となる。
【００７１】
本発明のディスク装置は、ＤＶＤおよびＣＤに限るものではなく、他のディスクに記録される情報を再生し、またはそのディスクに情報を記録するディスク装置に関しても好適に実施することができる。
【００７２】
【発明の効果】
請求項１記載の本発明によれば、案内部材には滑り部材が設けられるので、この滑り部材の摺動によってディスクが支持され、ディスクの上面の損傷が防がれる。またディスクの挿入時および排出時にディスクの下面には挿入排出用ローラが弾発的に当接して、挿入方向および排出方向に回転トルクによる押圧力が作用するが、ディスクの上面は前記滑り部材の摺動部によって支持されているので、摺動摩擦する方向に摺動摩擦が小さく、これによって挿入排出用ローラの回転トルクを小さくしてディスクの下面に作用する挿入方向および排出方向への押圧力を軽減し、これによってディスクの下面の損傷を少なくすることができる。
【００７４】
一方のピンが一方のピン孔に嵌まり込んで内周面に当接して支持された状態で他方のピンの当接面が他方のピン孔の第１支持面に当接して支持されるので、案内部材のがたつきを少なくして、挿入方向および排出方向に移動するディスクを安定して支持し、確実に装填し、かつ排出することが可能となる。
【００７５】
請求項２記載の本発明によれば、前記案内部材の長手方向中央部から長手方向両端部寄りになるにつれて案内部材の基部の下面からの突出量が増加するテーパ状の滑り部材が設けられるので、ディスクの周縁部付近だけが前記テーパ状の滑り部材に接触して支持され、これによってディスクの上面全体が前記テーパ状の滑り部材に接触することが防がれ、ディスクの上面の損傷を格段に少なくすることができる。
請求項３記載の本発明によれば、他方のピンの摺動面を軸線を含みかつ前記当接面に平行な仮想位置平面に関して周方向両側に延びて形成されるので、案内部材を円滑に角変位させることができ、変形したディスクであっても、前記案内部材によって挿入方向および排出方向に移動するディスクを安定して支持することができる。
【００７６】
請求項４記載の本発明によれば、案内部材の一方のピンが基体の一方のピン孔に嵌まり込んだ状態で、他方のピンと当接面が他方のピン孔の第１支持面に当接して支持されるので、案内部材のがたつきが防がれ、挿入方向および排出方向に移動するディスクを安定して支持してディスクを確実に装填しかつ排出することができる。
【図面の簡単な説明】
【図１】本発明の実施の一形態のディスク装置１を上方から見た断面図である。
【図２】図１の下方から見たディスク装置１の断面図である。
【図３】図１の右方から見たディスク装置１の断面図であり、図３（１）は挿入排出用ローラ１０が下降した状態を示し、図３（２）は挿入排出用ローラ１０が上昇した状態を示す。
【図４】図１の左方から見たディスク装置１の断面図であり、図４（１）は挿入排出用ローラ１０が下降した状態を示し、図４（２）は挿入排出用ローラ１０が上昇した状態を示す。
【図５】案内部材９の平面図である。
【図６】案内部材９の底面図である。
【図７】図５の左方から見た案内部材９の側面図である。
【図８】図５の右方から見た案内部材９の側面図である。
【図９】図５の下方から見た案内部材９の正面図である。
【図１０】図５の上方から見た案内部材９の背面図である。
【図１１】図５の切断面線Ｋ−Ｋから見た第１滑り部材９１の拡大断面図である。
【図１２】図５の切断面線Ｌ−Ｌから見た第１滑り部材９１の拡大断面図である。
【図１３】図５の切断面線Ｍ−Ｍから見た第１滑り部材９１の拡大断面図である。
【図１４】図５の切断面線Ｓ−Ｓから見た第１滑り部材９１の拡大断面図である。
【図１５】図５の切断面線Ｔ−Ｔから見た第１滑り部材９１の拡大断面図である。
【図１６】図５の切断面線Ｐ−Ｐから見た第２滑り部材９２の拡大断面図である。
【図１７】図５の切断面線Ｎ−Ｎから見た第２滑り部材９２の拡大断面図である。
【図１８】図５の切断面線Ｑ−Ｑから見た第２滑り部材９２の拡大断面図である。
【図１９】図５の切断面線Ｕ−Ｕから見た第２滑り部材９２の拡大断面図である。
【図２０】図５の切断面線Ｒ−Ｒから見た第２滑り部材９２の拡大断面図である。
【図２１】基体３の平面図である。
【図２２】図２１の左方から見た基体３の側面図である。
【図２３】図２１の右方から見た基体３の側面図である。
【図２４】他方の支持片１０１付近を拡大して示す側面図である。
【図２５】挿入排出用ローラ１０の断面図である。
【図２６】案内部材９と挿入排出用ローラ１０の間にディスクＤが配置された状態を模式的に示す断面図である。
【図２７】本発明の実施の他の形態の挿入排出用ローラ１０ａを示す断面図である。
【符号の説明】
１  ディスク装置
２  ハウジング
３  基体
４  テーブル
５  光ピックアップ
６  光ピックアップ移動手段
７  ホルダ
８  ホルダ移動手段
９  案内部材
１０  挿入排出用ローラ
１１ａ，１１ｂ  ローラ支持アーム
１２  ローラ駆動手段
２１  開口部
５９，６０  ピン孔
６１，６２  ピン
６５ａ，６５ｂ  引張りばね
６６  ローラ軸
６７  ローラ本体
６８，８７  角変位軸線
７０ａ，７０ｂ  突出片
７１  誤挿入防止部材
８１  基部
８２  案内部
８５，８６  側壁部
８８  下面
８９，９０  摺動部
９１  第１滑り部材
９２  第２滑り部材
９６，９７  抜止め部
１０１，１０２  支持片
１０５，１０９  挿入案内面
１０６，１０８  排出案内面
１１７  内周面
１１８  外周面
１１９  仮想直円筒面
１２０  水平面
１２１  鉛直面
１２２  第１支持面
１２３  第２支持面
１２４  ピン挿入孔
１２５  上面
１２６〜１２９  第１〜第４挿入案内面
１３１  当接面
１３２，１３３  摺動面
１３４  下面
１３５  仮想一平面
【図１】
0004230096.tif 000002
【図２】
0004230096.tif 000003
【図３】
0004230096.tif 000004
【図４】
0004230096.tif 000005
【図５】
0004230096.tif 000006
【図６】
0004230096.tif 000007
【図７】
0004230096.tif 000008
【図８】
0004230096.tif 000009
【図９】
0004230096.tif 000010
【図１０】
0004230096.tif 000011
【図１１】
0004230096.tif 000012
【図１２】
0004230096.tif 000013
【図１３】
0004230096.tif 000014
【図１４】
0004230096.tif 000015
【図１５】
0004230096.tif 000016
【図１６】
0004230096.tif 000017
【図１７】
0004230096.tif 000018
【図１８】
0004230096.tif 000019
【図１９】
0004230096.tif 000020
【図２０】
0004230096.tif 000021
【図２１】
0004230096.tif 000022
【図２２】
0004230096.tif 000023
【図２３】
0004230096.tif 000024
【図２４】
0004230096.tif 000025
【図２５】
0004230096.tif 000026
【図２６】
0004230096.tif 000027
【図２７】
0004230096.tif 000028